(57)【特許請求の範囲】
【請求項１】
エニーキー機能を有する携帯情報端末において、
着信の際どのキーが押下されたかの識別を行う押下キー識別手段と、
各キーの押下回数を記憶する押下回数記憶手段と、
押下されたキーが識別されると、前記押下回数記憶手段に記憶されている、押下されたキーの押下回数をカウントアップし、結果を前記押下回数記憶手段に記憶するキー押下カウント手段と、
キーをエニーキーに割り当てる条件を設定するエニーキー条件設定手段と、
押下されたキーの、前記キー押下カウント手段によるカウントアップ後のキー押下回数を含む情報が前記エニーキー条件設定手段で設定された条件を満たしているかどうか調べ、満たしていれば押下されたキーをエニーキーに割り当てるエニーキー決定手段と、
前記エニーキー決定手段によるエニーキーの割り当てを、次の着信中のキー押下があるまで管理するエニー管理手段と
を有することを特徴とするエニーキー機能付携帯情報端末。
【請求項２】
前記条件がキー押下回数であり、前記エニーキー決定手段は、カウントアップ後の押下回数が前記キー押下回数を越えていたならば、押下されたキーをエニーキーに割り当てる、請求項１記載の携帯情報端末。
【請求項３】
前記条件がキー押下回数とキー押下カウント期間であり、前記キー押下回数カウント手段は、押下日時が前記キー押下カウント期間であれば、前記押下回数記憶手段に記憶されている、押下されたキーの押下回数をカウントアップし、結果を前記キー押下回数記憶手段に記憶し、前記エニーキー決定手段は、カウントアップ後の押下回数が前記キー押下回数を越えていたならば、押下されたキーをエニーキーに割り当てる、請求項１記載の携帯情報端末。
【請求項４】
前記条件が押下確率であり、前記エニーキー決定手段は、押下されたキーの、カウントアップ後の押下回数と全てのキーの押下回数より押下率を算出し、該押下率が前記押下確率よりも大きければ、押下されたキーをエニーキーに割り当てる、請求項１記載の携帯情報端末。
【請求項５】
エニーキー機能を有する携帯情報端末において、
着信の際どのキーが押下されたかの識別を行う押下キー識別手段と、
各キーの押下回数を押下日時とともに記憶する押下回数記憶手段と、
キーをエニーキーに割り当てる条件であるキー押下回数と押下カウント期間を設定するエニーキー条件設定手段と、
押下されたキーが識別されると、前記押下回数記憶手段に記憶されている、前記押下カウント期間内に押下された当該キーの押下回数をカウントアップし、結果を前記押下回数記憶手段に記憶するキー押下カウント手段と、
押下されたキーの、前記キー押下カウント手段によるカウントアップ後の押下回数を含む情報が前記エニーキー条件設定手段で設定されたキー押下回数を越えているかどうか調べ、越えていれば押下されたキーをエニーキーに割り当てるエニーキー決定手段と、
前記エニーキー決定手段によるエニーキーの割り当てを、次の着信中のキー押下があるまで管理するエニー管理手段と
を有することを特徴とするエニーキー機能付携帯情報端末。
【請求項６】
エニーキー機能を有する携帯情報端末におけるエニーキー割り当てプログラムであって、
押下されたキーを識別する手順と、
各キーの押下回数を記憶する押下回数記憶手段に記憶されている、押下されたキーの押下回数をカウントアップし、結果を前記押下回数記憶手段に記憶する手順と、
押下されたキーの、カウントアップ後のキー押下回数を含む情報が、設定された条件を満たしているかどうか調べる手順と、
前記情報が前記条件を満たしていれば押下されたキーをエニーキーに割り当てることを決定する手順と、
エニーキーに割り当てられたキーをエニーキー管理エリアに送出する手順と
をコンピュータに実行させるためのエニーキー割り当てプログラム。
【請求項７】
前記条件がキー押下回数であり、前記エニーキー割り当て決定手順は、カウントアップ後の押下回数が前記キー押下回数を越えていたならば、押下されたキーをエニーキーに割り当てる、請求項６記載のプログラム。
【請求項８】
前記条件がキー押下回数とキー押下カウント期間であり、前記キー押下カウント手順は、押下日時が前記キー押下カウント期間であれば、前記押下回数記憶手段に記憶されている、押下されたキーの押下回数をカウントアップし、結果を前記押下回数記憶手段に記憶し、前記エニーキー割り当て決定手順は、カウントアップ後の押下回数が前記キー押下回数を越えていたならば、押下されたキーをエニーキーに割り当てる、請求項６記載のプログラム。
【請求項９】
前記条件が押下確率であり、前記エニーキー割り当て決定手順は、押下されたキーの、カウントアップ後の押下回数と全てのキーの押下回数より押下率を算出し、該押下率が前記押下確率よりも大きければ、押下されたキーをエニーキーに割り当てる、請求項６記載のプログラム。
【請求項１０】
エニーキー機能を有する携帯情報端末におけるエニーキー割り当てプログラムであって、
押下されたキーを識別する手順と、
押下されたキーとその押下日時を押下回数記憶手段に記憶する手順と、
前記押下回数記憶手段に記憶されている、押下されたキーの、設定されたカウント押下期間内の押下回数を算出する手順と、
前記算出された押下回数が、設定されたキー押下回数を越えているかどうか調べる手順と、
押下回数が前記キー押下回数を越えていると、当該キーをエニーキーに割り当てることを決定する手順と、
エニーキーに割り当てられたキーをエニーキー管理エリアに送出する手順と
をコンピュータに実行させるためのエニーキー割り当てプログラム。
【発明の詳細な説明】
【０００１】
【発明の属する技術分野】
本発明はエニーキー機能を有する携帯情報端末に関する。
【０００２】
【従来の技術】
従来、携帯情報端末における誤操作防止のための手段として、他人に悪用されるのを防ぐダイヤルロックや鞄などの中に入れて持ち運ぶ際のボタンの誤動作を防ぐボタン操作無効設定等がある。
【０００３】
【発明が解決しようとする課題】
しかし、着信応答時はエニーキー設定となっていて、ほとんどのキーの押下により着信応答が可能である。エニーキー機能は着信応答がし易い反面、応答したく無い場合にもキー誤操作により応答してしまうことになり易いデメリットがある。
【０００４】
本発明の目的は、着信応答の際の誤操作を無くしたエニーキー機能付携帯情報端末を提供することにある。
【０００５】
【課題を解決するための手段】
本発明は、着信応答の際、ユーザーがキーを押下すると、押下回数をキー毎にカウントし、押下回数を含む情報が予め設定された条件を満たしたキーをエニーキーに割り当てるものである。
【０００６】
これによって着信応答の際の誤操作を防ぎ、携帯情報端末の利便性が向上する。
【０００７】
ここで、予め設定された条件とは、押下回数であり、押下回数と押下期間であり、また押下確率（全体のキー押下の中で押下された割合）である。
【０００８】
【発明の実施の形態】
次に、本発明の実施の形態について図面を参照して説明する。
【０００９】
図１を参照すると、本発明の一実施形態の携帯情報端末は、基地局へ発着番号を送受信するアンテナ１１と、無線の送受信を行う無線部１２と、無線部１２によって送受信するデータをコード化したり、コード化したデータをデコード化するベースバンド部１３と、プログラム制御により動作する中央処理部１４と、着呼応答や番号／文字入力、キーをエニーキーに割り当てる条件の入力等を行うキーボード１５と、受信したメールやメニュー等の情報を表示する表示部１６と、着呼応答の際にエニーキーに割り当てるキーを管理するエニーキー管理エリア１７を含む。また、中央処理部１４は、キー押下識別部１４１と、キー押下カウント部１４２と、押下回数記憶部１４３と、エニーキー決定部１４４と、エニーキー条件設定部１４５を備えている。
【００１０】
押下キー識別部１４１は、着信の際のユーザーからのキーボード１５の入力を受け、どのキーが押下されたかの識別を行う。キー押下カウント部１４２はキーが識別されると、押下回数記憶部１４３に記憶されている、当該キーの押下回数に１を加算し、加算された押下回数を再度押下回数記憶部１４３に記憶する。エニーキー決定部１４４は、再度記憶された押下回数をエニーキー条件設定部１４５に予め設定されている条件と比較し、条件を満足していれば当該キーを着呼応答時のエニーキーに決定し、エニーキー管理エリア１７にエニーキー割り当てを送出し、エニーキー管理エリア１７にて管理する。
【００１１】
次に、本実施形態の動作について説明する。
【００１２】
図１、図２より、着信からエニーキーによる着呼応答までの中央処理部１４の処理の流れを説明する。
【００１３】
ステップ２０１の待ち受け状態において着信があり、ステップ２０２にユーザーが応答のためにキーを押下した場合、ステップ２０３に押下キー識別部１４１はどのキーが押下されたかの識別を行う。同時にステップ２０４にエニーキー管理エリア１７をモニターし、識別されたキーがエニーキーに割り当てられている場合、ステップ２０６に着信応答が確立し、ステップ２０７に通話状態となる。識別されたキーがエニーキーに割り当てられていない場合、着信状態はエニーキーに割り当てられているキーを押下するまで継続される。
【００１４】
図３より、エニーキーに割り当てられるまでの流れを説明する。
【００１５】
ステップ３０１に待ち受け状態において着信時にキー押下があった場合、ステップ３０２に押下キー識別部１４１はどのキーが押下されたかの識別を行う。キーが識別されると、ステップ３０３にキー押下カウント部１４２は押下回数記憶部１４３に記憶されている当該キーの押下回数をモニターし、ステップ３０４に記憶されている押下回数に１を加算する。加算されたカウントはステップ３０５に再度押下回数記憶部１４３に記憶される。記憶する度にステップ３０６にエニーキー決定部１４４はエニーキー条件設定部１４５に予め設定されている条件をモニターし、ステップ３０７に条件に当てはまるキーをエニーキーに割り当て、エニーキーが決定したらステップ３０８にエニーキー管理エリア１７にエニーキー割り当てを送出する。ステップ３０９にエニーキー管理エリア１７は次の着信中のキー押下があるまで送出されたエニーキー割り当てを管理する。
【００１６】
本発明の一実施形態として図１、図４、図５より、予めエニーキーの割り当て条件をキー押下回数で決定する場合の条件設定からエニーキー割り当て決定までの中央処理部１４の処理の流れを説明する。
【００１７】
まず、エニーキー条件設定部１４５を用い、ステップ４０１に、図４のような画面を開き、予めエニーキーに割り当てるキー押下回数をエニーキー条件設定部１４５に設定する。キー押下回数の設定後、ステップ４０２に待ち受け状態において着信時にキーの押下があった場合、ステップ４０３に押下キー識別部１４１はどのキーが押下されたかの識別を行う。キーが識別されると、ステップ４０４にキー押下カウント部１４２は押下回数記憶部１４３に記憶されている当該キーの押下回数をモニターし、ステップ４０５に記憶されている押下回数に１を加算する。加算されたカウントはステップ４０６に再度押下回数記憶部１４３に記憶される。記憶する度にエニーキー決定部１４４はステップ４０７にエニーキー条件設定部１４５に予め設定されている条件（キー押下回数）をモニターし、ステップ４０８に押下回数がキー押下回数を越えているキーをエニーキーに割り当て、エニーキーが決定したらステップ４０９にエニーキー管理エリア１７にエニーキー割り当てを送出する。エニーキー管理エリア１７８はステップ４１０に次の着信中のキー押下があるまで送出されたエニーキー割り当てを管理する。
【００１８】
本発明の他の実施形態として図１、図４、図６、図７より、予めエニーキーの割り当て条件をキー押下回数とキー押下期間で決定する場合の条件設定からエニーキー割り当て決定までの中央処理部１４の処理の流れを説明する。
【００１９】
まず、エニーキー条件設定部１４５を用い、ステップ５０１に図４のような画面を開き、予めエニーキーに割り当てるキー押下回数をエニーキー条件設定部１４５に設定する。ステップ５０２にキー押下回数の設定が完了したら、図６のような画面を開き、ステップ５０３にキー押下カウント期間をエニーキー条件設定部１４５に設定する。キー押下回数とキー押下カウント期間の設定後、ステップ５０４に待ち受け状態において着信時にキーの押下があった場合、ステップ５０５に押下キー識別部１４１はどのキーが押下されたかの識別を行う。キーが識別されると、押下回数記憶部１４３はステップ５０６に押下回数カウント記憶部１４３に当該キーと押下日時を記憶する。記憶する度に、エニーキー決定部１４４はステップ５０７にエニーキー条件設定部１４５に予め設定されている押下回数条件と押下カウント期間をモニターし、ステップ５１０に押下カウント期間内の押下回数を算出し、ステップ５０９に押下回数条件をクリアしているキーをエニーキーに割り当て、エニーキーが決定したらステップ５１０に押下されたキーのエニーキー管理エリア１７にエニーキー割り当てを送出し、エニーキー管理エリア１７はステップ５１１に次の着信中のキー押下があるまで送出されたエニーキー割り当てを管理する。
【００２０】
図８は図７の変形例を示している。図７中と同じ番号は同じ処理を示している。ステップ５０５の後、エニーキー決定部１４４は押下日時がエニーキー条件設定部１４５に設定されている押下カウント期間内かどうか判定する。期間内であればキー押下カウント部１４２が押下回数記憶部１４３に記憶されている、押下されたキーの押下回数に１を加算する。ステップ５１３に進み、期間内でなければステップ５０４に戻る。ステップ５１４では、キー押下カウント部１４２は加算された押下回数を押下回数記憶部１４３に記憶する。ステップ５１５では、エニーキー決定部１４４は押下されたキーの押下回数が押下回数条件を越えているかどうか調べる。越えていればステップ５０９に進み、越えていなければステップ５０４に戻る。
【００２１】
本発明のさらに他の実施形態として図１、図９、図１０により、予めエニーキーの割り当て条件を押下確率で決定する場合の条件設定からエニーキー割り当て決定までにおける中央処理部１４の処理の流れを説明する。
【００２２】
まず、ステップ６０１に、図９のような画面を開き、予めエニーキーに割り当てるキー押下確率をエニーキー条件設定部１４５に設定する。キー押下確率の設定後、ステップ６０２に待ち受け状態において着信時にキーの押下があった場合、ステップ６０３に押下キー識別部１４１はどのキーが押下されたかの識別を行う。キーが識別されると、ステップ６０４にキー押下カウント部１４２は押下回数記憶部１４３に記憶されている当該キーの押下回数をモニターし、ステップ６０５に押下回数に１を加算する。ステップ６０６に加算されたカウントは再度押下回数記憶部１４３に記憶される。記憶する度にエニーキー決定部１４４はステップ６０７にエニーキー条件設定部１４５に予め設定されている押下確率条件をモニターし、ステップ６０８に当該全押下回数と各キーの押下回数により押下確率を算出し、ステップ６０９に押下確率条件をクリアしているキーをエニーキーに割り当て、エニーキーが決定したらステップ６１０にエニーキー管理エリア１７にエニーキー割り当てを送出し、エニーキー管理エリア１７はステップ６１１に次の着信中のキー押下があるまで送出されたエニーキー割り当てを管理する。
【００２３】
なお、図３、図５、図７、図８、図１０に示した処理は、エニーキー割り当てプログラムとして、フロッピィ・ディスク、CD―ROM、DVD、メモリスティック等の各種可搬記録媒体に記憶しておき、CPUにより実行できる。
【００２４】
【発明の効果】
以上説明したように本発明によれば、着呼応答の際端末自体でユーザーが押すキーの押下回数をカウントし、予め設定したエニーキー割り当て条件によりエニーキー割り当てを決定するという学習機能を有することにより、着信応答の際の誤操作を防ぐことが可能で、携帯情報端末に付加価値を付け、利便性を向上させる効果がある。
【図面の簡単な説明】
【図１】本発明の一実施形態の情報携帯端末の構成図である。
【図２】着信からエニーキーによる着信応答までの中央処理部１４の処理の流れを示すフローチャートである。
【図３】キーをエニーキーに割り当てるまでの中央処理部１４の処理の流れを示すフローチャートである。
【図４】押下回数のエニーキー割り当て条件の設定画面を示す図である。
【図５】押下回数がエニーキー割り当て条件の場合のエニーキー割り当ての処理のフローチャートである。
【図６】押下回数と期間がエニーキー割り当て条件の設定画面を示す図である。
【図７】押下回数と期間がエニーキー割り当て条件の場合のエニーキー割り当ての処理のフローチャートである。
【図８】押下回数と期間がエニーキー割り当て条件の場合のエニーキー割り当ての他の処理のフローチャートである。
【図９】押下確率がエニーキー割り当て条件の設定画面を示す図である。
【図１０】押下確率がエニーキー割り当て条件の場合のエニーキー割り当ての処理のフローチャートである。
【符号の説明】
１１    アンテナ
１２    無線部
１３    ベースバンド部
１４    中央処理部
１５    キーボード
１６    表示部
１７    送信情報管理エリア
１４１    押下キー識別部
１４２    キー押下カウント部
１４３    押下回数記憶部
１４４    エニーキー決定部
１４５    エニーキー条件決定部
２０１〜２０７、３０１〜３０９、４０１〜４１０、５０１〜５１４、６０１〜６１１    ステップ
【図１】
0004000440.tif 000002
【図２】
0004000440.tif 000003
【図３】
0004000440.tif 000004
【図４】
0004000440.tif 000005
【図５】
0004000440.tif 000006
【図６】
0004000440.tif 000007
【図７】
0004000440.tif 000008
【図８】
0004000440.tif 000009
【図９】
0004000440.tif 000010
【図１０】
0004000440.tif 000011